(57)【要約】【課題】ハンドル部を持って持ち運ぶ際に、電池保持部の蓋が開いて電池が落下することを防止する。【解決手段】実施形態のプリンタは、印刷部を備えた機器本体部と、機器本体部に設けられ、機器本体部の側壁に開口を有する保持部と、保持部の開口部に開閉自在に設けられた蓋体と、機器本体部を持ち上げるときの状態の第１位置及び機器本体部側に位置したときの状態の第２位置に移動可能に設けられたハンドル部を備えている。又、プリンタは、ハンドル部と本体部との間に設けられ、ハンドル部が第１位置で、ハンドル部と本体部とを連結し、ハンドル部が第２位置で、ハンドル部と本体部との連結を解除する連結機構と、ハンドル部に設けられ、ハンドル部が第１位置に設定されると、蓋体の外方前面に位置する押さえ片と、を備えている。【選択図】図１
2013184333.tif 000002
【特許請求の範囲】
【請求項１】
印刷部と印刷用紙を収納する用紙収納部とを備えた機器本体部と、
前記機器本体部に設けられ、前記機器本体部の側壁に開口部を有する保持部と、
前記保持部の開口部に開閉自在に設けられた蓋体と、
前記機器本体部に、前記機器本体部を持ち上げるときの状態の第１位置及び前記機器本体部側に位置したときの状態の第２位置に移動可能に設けられたハンドル部と、
前記ハンドル部と前記機器本体部との間に設けられ、前記ハンドル部が前記第１位置に設定されたとき、前記ハンドル部と前記機器本体部とを連結し、前記ハンドル部が前記第２位置に設定されたとき、前記ハンドル部と前記機器本体部の少なくとも一部との連結を解除する連結機構と、
前記ハンドル部に設けられ、前記ハンドル部が前記第１位置に設定されると、前記蓋体の外方前面に配置される押さえ片と、を備えたことを特徴とするプリンタ。
【請求項２】
前記ハンドル部を前記第１位置に設定したときの前記押さえ片の外方に、前記押さえ片に重なる補強部材、を更に具備したことを特徴とする請求項１に記載のプリンタ。
【請求項３】
前記ハンドル部は、前記機器本体部から取り外し可能に設けられていることを特徴とする請求項１又は２に記載のプリンタ。
【請求項４】
前記保持部には、電池が収納されることを特徴とする請求項１〜３のいずれか１項に記載のプリンタ。
【請求項５】
前記保持部には、接続コードが接続される接続端子が備えられていることを特徴とする請求項１〜３のいずれか１項に記載のプリンタ。
【請求項６】
本体部と、
前記本体部に設けられ、前記本体部の側壁に開口部を有する保持部と、
前記保持部の開口部に開閉自在に設けられた蓋体と、
前記本体部に、前記本体部を持ち上げるときの状態の第１位置及び前記本体部側に位置したときの状態の第２位置に移動可能に設けられたハンドル部と、
前記ハンドル部と前記本体部との間に設けられ、前記ハンドル部が前記第１位置に設定されたとき、前記ハンドル部と前記本体部とを連結し、前記ハンドル部が前記第２位置に設定されたとき、前記ハンドル部と前記本体部との連結を解除する連結機構と、
前記ハンドル部に設けられ、前記ハンドル部が前記第１位置に設定されると、前記蓋体の外方前面に位置する押さえ片と、を備えたことを特徴とする電子機器。
【発明の詳細な説明】
【技術分野】
【０００１】
本発明の実施形態は、ハンドル部を備えたプリンタ、及び電子機器に関する。
【背景技術】
【０００２】
小型のラベルプリンタなどにおいては、ハンドル部を備え、持ち運びを容易にしたものが知られている。又、電源が得られない場所でも印刷ができるように、電池パックを搭載し、電池で駆動するプリンタも知られている。
【０００３】
電池パックを収納する保持部は、電池パックを収納した後、開口部に蓋をして内部を閉じている。又、落下時に蓋が不用意に開かないよう、蓋を電子的にロックすることも知られている。
【先行技術文献】
【特許文献】
【０００４】
【特許文献１】特開２００７−２１６５６５号公報
【発明の概要】
【発明が解決しようとする課題】
【０００５】
しかしながら、保持部の蓋を止めている止め具に何かが当たり、蓋を止める作用が解除されてしまうことが考えられる。仮に、プリンタを搬送しているとき、電池パックを収納している保持部の蓋が開いてしまうと、電池パックがプリンタから落下してしまうことも考えられる。
【０００６】
本発明が解決しようとする課題は、保持部の蓋が、電子機器の搬送中に不用意に開いてしまうことのないプリンタ及び電子機器を提供する。
【課題を解決するための手段】
【０００７】
実施形態のプリンタは、印刷部と印刷用紙を収納する用紙収納部とを備えた機器本体部と、機器本体部に設けられ、機器本体部の側壁に開口部を有する保持部と、保持部の開口部に開閉自在に設けられた蓋体と、機器本体部に、機器本体部を持ち上げるときの状態の第１位置及び前記本体部側に位置したときの状態の第２位置に移動可能に設けられたハンドル部とを備えている。プリンタは、ハンドル部と機器本体部との間に設けられ、ハンドル部が第１位置に設定されたとき、ハンドル部と機器本体部とを連結し、ハンドル部が第２位置に設定されたとき、ハンドル部と機器本体部との連結を解除する連結機構と、ハンドル部に設けられ、ハンドル部が第１位置に設定されると、蓋体の外方前面に配置される押さえ片と、を備えている。
【０００８】
電子機器は、本体部と、本体部に設けられ、本体部の側壁に開口部を有する保持部と、保持部の開口部に開閉自在に設けられた蓋体と、本体部を持ち上げるときの状態の第１位置及び本体部側に位置したときの状態の第２位置に移動可能に設けられたハンドル部を備えている。又、電子機器は、ハンドル部と本体部との間に設けられ、ハンドル部が第１位置で、ハンドル部と本体部とを連結し、ハンドル部が第２位置で、ハンドル部と本体部との連結を解除する連結機構と、ハンドル部に設けられ、ハンドル部が第１位置に設定されると、蓋体の外方前面に位置する押さえ片と、を備えている。
【図面の簡単な説明】
【０００９】
【図１】第１実施形態にかかるプリンタを示す図であって、ハンドル部が第１位置に位置している状態を示す斜視図。
【図２】同プリンタを示す図であって、ハンドル部が第２位置に位置している状態を示す斜視図。
【図３】同プリンタを示す図であって、カバー部を開けた状態を示す斜視図。
【図４】第２実施形態にかかるプリンタを示す斜視図。
【図５】第３実施形態にかかるプリンタを示す斜視図であって、ハンドル部が第１位置に位置した状態を示す斜視図。
【図６】同プリンタを示す図であって、ハンドル部が第２位置に位置した状態を示す斜視図。
【図７】同プリンタを示す図であって、ハンドル部をプリンタから外した状態を示す斜視図である。
【発明を実施するための形態】
【００１０】
実施形態にかかるプリンタ及び電子機器について、印刷部と、ロール状に巻回された印刷用紙を収納する用紙収納部とを備え、印刷用紙を引き出しながら、印刷用紙に印字を行う可搬型のプリンタを例として説明する。以下、各図において、プリンタ１０から印刷物が取り出される方向をプリンタ１０の前方とし、それを基準にプリンタ１０の後方と左右とを定め、又、重力の方向を下方とし、その逆を上方とする。更に、プリンタ１０の周辺から中心に向かう方向を内側とし、その逆を外側として説明する。
【００１１】
<第１実施形態>
図１〜図３を用いて、第１実施形態にかかるプリンタ１０について説明する。図１に示すように、プリンタ１０は、本体部１２と、ハンドル部１４と、カバー部１６とを備えている。プリンタ１０は、ハンドル部１４を持つなどして、他の場所に容易に移動させることができる可搬型である。本体部１２とカバー部１６とにより機器本体部が構成されている。
【００１２】
本体部１２は、略直方体状で、左右方向の幅より前後方向の長さの方が長く形成されている。本体部１２は、電池保持部１８と、印刷部２０と、印刷用紙１００を収納する用紙収納部２２と（図３参照）、電源スイッチと、制御基板（いずれも図示せず）を備えている。又、本体部１２は、前壁２４に、印刷物が取り出される発行口２５が設けられている。
【００１３】
印刷部２０は、サーマルヘッドとサーマルヘッドの駆動部（いずれもカバー部１６に設置）とプラテンローラとを備えて構成されている。用紙収納部２２には、ロール状に巻回された印刷用紙１００が収納される。印刷用紙１００は、用紙収納部２２に収納され、印刷作業の進行に伴って印刷部２０に引き出される。印刷用紙１００は、例えば感熱ラベル用紙である。尚、プリンタ１０は、熱転写インクによる印刷方式であってもよい。
【００１４】
カバー部１６は、前後方向に傾斜した前面側傾斜部２６と、前面側傾斜部２６の後方に前面側傾斜部２６の頂部で連結された後面側傾斜部２８とを備え、これにより側面視でほぼ三角形状に形成されている。前面側傾斜部２６には、例えば、液晶画面と液晶画面の表面に重ねられた透明なタッチパネル入力装置などが設けられている。例えば作業者は、タッチパネルを操作して、印刷部２０で印刷する印刷内容等を入力する。
【００１５】
カバー部１６は、本体部１２の後方で、本体部１２と回動自在に連結されている。カバー部１６を閉じ、カバー部１６と本体部１２とを組み付けると、サーマルヘッドが所定位置に配置され、発行口２５に連通した印刷部２０が本体部１２内に構成される。カバー部１６の前方には、係合部材１９が設けてあり、係合部材１９により本体部１２とカバー部１６とが解除可能に連結されている。
【００１６】
ハンドル部１４は、例えば樹脂や金属等によって構成されている。ハンドル部１４は、平行に延びる２本の腕部３４と、２本の腕部３４のそれぞれの端部を連結する握り部３６と、腕部３４の、握り部３６と逆の端部に形成された取付基板３８とを備えて形成されている。
【００１７】
取付基板３８は、支持部３２を中心としたほぼ半円形に形成されている。取付基板３８は、支持部３２により支持部３２を中心としてカバー部１６に回動自在に取り付けられている。したがって、ハンドル部１４は、取付基板３８を介して、支持部３２を中心にして、カバー部１６に回動自在に取り付けられている。
【００１８】
ハンドル部１４と本体部１２との間には、連結機構４０が形成されている。連結機構４０は、本体部１２に設けられた係合ピン４４と、ハンドル部１４の取付基板３８に設けられた溝部４２とから構成され、ハンドル部１４と本体部１２とは、連結機構４０を介して互いに脱着可能に連結されている。
【００１９】
連結機構４０の溝部４２は、取付基板３８のそれぞれの内側に形成されている。溝部４２は、第１溝部４２ａと第２溝部４２ｂとから形成されている。第１溝部４２ａは、ハンドル部１４を図２に示す第２位置に配置して、カバー部１６を本体部１２の上面に載せると、図２、図３に示すように係合ピン４４に嵌る位置に、縦方向に沿って所定長さ形成されている。第１溝部４２ａの長さは、カバー部１６と本体部１２とが接触するまで、カバー部１６を下げたときの係合ピン４４が第１溝部４２ａを進む位置までの長さである。これにより、第１溝部４２ａが係合ピン４４に嵌り、カバー部１６が本体部１２の上縁に接するまで下げられる。
【００２０】
第２溝部４２ｂは、第１溝部４２ａに連続し、かつ、カバー部１６が本体部１２に接した状態のときの係合ピン４４の位置から、支持部３２を中心とした円弧に沿って形成されている。
【００２１】
電池保持部１８は、本体部１２の右側壁４６に設けられている。電池保持部１８は、電池パック４８（図３参照）を収納する保持部である。電池保持部１８は、右側壁４６に開口部５０を備え、開口部５０には蓋体５２が開閉自在に取り付けられている。蓋体５２は、開口部５０の下端に設けられたヒンジにより連結されており、下端を中心として上下方向に移動し、開口部５０を開閉する。
【００２２】
又、蓋体５２には、蓋体５２を閉鎖した状態に保持する止め具５４が設けられている。止め具５４は、蓋体５２の上部中央に設けられ、開口部５０の上部に係合して、蓋体５２の開放を係止する。止め具５４を下方に移動させると、開口部５０と止め具５４との係合が解除され、開口部５０が開放される。電池保持部１８内に電池パック４８を収納して蓋体５２を閉じると、電池保持部１８内に設けられた入力端子に電池パック４８の出力端子が接続し、電池パック４８からの電力が本体部１２に供給される。
【００２３】
又、ハンドル部１４には、押さえ片６０が設けられている。押さえ片６０は、板状で、ハンドル部１４の右側の取付基板３８に設けられている。押さえ片６０は、本体部１２の右側壁４６との間にわずかな隙間が形成されるように、ハンドル部１４に取り付けられている。
【００２４】
更に、押さえ片６０は、ハンドル部１４を図１に示す第１位置に設定すると、電池保持部１８の蓋体５２の前面にその一部がかかる。そして、ハンドル部１４を図２に示す第２位置に設定すると、押さえ片６０は、電池保持部１８の蓋体５２の前面から外れた位置に移動する。
【００２５】
次に、プリンタ１０の作用、及び効果について説明する。
【００２６】
ユーザーは、ハンドル部１４を第２位置の方向に倒し、蓋体５２を開いて電池保持部１８に電池パック４８を収納し、蓋体５２を閉じる。すると電池パック４８の電力が本体部１２に供給され、プリンタ１０の印刷作業が可能となる。
【００２７】
プリンタ１０を作動させると、用紙収納部２２に収納されたロール状の印刷用紙１００から印刷用紙１００が引き出され、印刷部２０により印刷用紙１００に印刷がなされる。例えば、商品ラベルや値札を表示する値札ラベル等が形成される。
【００２８】
用紙収納部２２の印刷用紙１００がなくなると、係合部材１９を操作して本体部１２とカバー部１６との連結を解除する。そして、ハンドル部１４を第２位置に設定した状態で、ユーザは、カバー部１６を回動させる。すると、連結機構４０の係合ピン４４と第１溝部４２ａが一致しているので、カバー部１６は上方に移動される。
【００２９】
第１溝部４２ａは、端部が開放されているので、第１溝部４２ａは係合ピン４４に掛かることなく移動し、カバー部１６は大きく開かれる。本体部１２の上部が開放された状態を図３に示す。
【００３０】
新しい印刷用紙１００を本体部１２の用紙収納部２２に収納し、カバー部１６を再び本体部１２の上に戻す。すると、第１溝部４２ａが係合ピン４４を跨くようにして移動し、カバー部１６が本体部１２の上に載せられる。カバー部１６の入力装置から入力を行い、印刷を再開させる。印刷部２０で印刷されたらラベルは、発行口２５から取り出される。
【００３１】
プリンタ１０を他の場所へ移動させるときは、ハンドル部１４を第２位置から第１位置に引き起こす。すると、第２溝部４２ｂが連結機構４０の係合ピン４４を跨ぐようにして移動し、取付基板３８が支持部３２を中心にして回動する。これにより、係合ピン４４と第２溝部４２ｂが係合され、ハンドル部１４及びカバー部１６が、本体部１２と連結機構４０を介して連結される。更に、ハンドル部１４を第１位置に移動させると、押さえ片６０が電池保持部１８の蓋体５２の前面にかかる。押さえ片６０は、蓋体５２に対して、蓋体５２との間にわずかな間隙を持って対向する。
【００３２】
したがって、ユーザは、ハンドル部１４の握り部３６を握り、連結機構４０によりカバー部１６と本体部１２とを連結された状態で、プリンタ１０を持ち上げ、他の場所に移動させることができる。そのため、カバー部１６が開くことなくプリンタ１０を移動させることができる。
【００３３】
又、ハンドル部１４が第１位置にあることから、押さえ片６０が電池保持部１８の蓋体５２の前面に位置する。このことから、蓋体５２の止め具５４が不用意に操作されにくくなる。更に、例えば、止め具５４に何かが当たり、止め具５４に操作がなされても、押さえ片６０により蓋体５２が完全に開くことはなく、電池保持部１８の内部から電池パック４８が飛び出したり、落下してしまうことはない。
【００３４】
又、移動中は、連結機構４０により、カバー部１６と本体部１２とが連結されているので、カバー部１６が本体部１２に対して開いてしまうことがない。
【００３５】
電池パック４８の電力が消耗したときは、ユーザは、ハンドル部１４を、図２に示すように第２位置に移動させる。すると、押さえ片６０が蓋体５２の前面から移動するので、止め具５４を操作して、蓋体５２を開く。蓋体５２が開いた電池保持部１８から電池パック４８を取り出し、電池パック４８を外部充電器に接続させ、電池パック４８に充電を行なう。充電が完了したなら、電池パック４８を外部充電器から取り外して、電池パック４８を電池保持部１８に挿入する。そして蓋体５２を閉めて電池パック４８を本体部１２に接続させる。新たに充電した電池パック４８の電力で、印刷作業を再開させる。
【００３６】
このようにプリンタ１０によれば、搬送中、蓋体５２が不用意に開かれることなく、ユーザは安全にプリンタ１０を移動させることができる。
【００３７】
<第２実施形態>
次に、第２実施形態にかかるプリンタ１０ａについて説明する。プリンタ１０ａについて、第１実施形態にかかるプリンタ１０を基準にして説明し、同一の箇所は同一の符号を付して説明を省略する。
【００３８】
プリンタ１０ａを、図４に示す。プリンタ１０ａは、本体部１２と、ハンドル部１４と、カバー部１６とを有している。本体部１２には、本体部１２の右側壁４６に補強部材６３が設けられている。プリンタ１０ａのその他の構成は、プリンタ１０と同様の構成であり、説明は省略する。
【００３９】
補強部材６３は、右側壁４６に、蓋体５２の開閉動作に干渉することがない位置に取り付けられている。補強部材６３は、右側壁４６の表面から間隙をもって設けられており、ハンドル部１４を第１位置に移動させると、押さえ片６０が補強部材６３の内側に係合する。補強部材６３は、ハンドル部１４を第１位置に移動させたとき、押さえ片６０と直接接触するか、あるいは押さえ片６０との間にわずかな隙間が形成されるように、右側壁４６に取り付けられている。
【００４０】
尚、補強部材６３と押さえ片６０との間に、凹凸部を設け、ハンドル部１４が所定の回動位置にくるとクリック感が発生したり、所定位置にハンドル部１４が移動可能に保持されるようにしてもよい。
【００４１】
プリンタ１０ａによれば、ハンドル部１４を第１位置に移動させたとき、押さえ片６０が補強部材６３にその外方が保持されるので、容易に蓋体５２が開放されない。又、ハンドル部１４が、押さえ片６０とともに補強部材６３により押さえられるので、係合ピン４４と溝部４２との嵌合が外れにくい。更に、ハンドル部１４が押さえられることにより、ハンドル部１４とカバー部１６との嵌合が外れにくくなっている。
【００４２】
又、ハンドル部１４を第１位置に移動させたとき、補強部材６３が押さえ片６０に当接することにより、ハンドル部１４の回動位置を規制することができる。
【００４３】
尚、図４では、補強部材６３は、押さえ片６０の回動を規制するように示されているが、補強部材６３は、押さえ片６０の回動範囲から外れた位置に設け、ハンドル部１４の回動を規制することなく設けてもよい。又、補強部材６３と押さえ片６０は、蓋体５２が設けられていない本体部１２の左側壁に、同様に設けてもよい。
【００４４】
<第３実施形態>
次に、第３実施形態にかかるプリンタ１０ｂについて説明する。プリンタ１０ｂについて、第１実施形態にかかるプリンタ１０を基準にして説明し、同一の箇所は同一の符号を付して説明を省略する。
【００４５】
プリンタ１０ｂを図５〜図７に示す。プリンタ１０ｂは、本体部１２と、ハンドル部１５と、カバー部１６とを有している。本体部１２とカバー部１６とは、本体部１２の後方で回動自在に連結されている。カバー部１６の前方には、係合部材１９が設けてあり、係合部材１９により本体部１２とカバー部１６とが解除可能に連結されている。
【００４６】
ハンドル部１５は、図６に示すように本体部１２及びカバー部１６から取り外し可能に構成されている。ハンドル部１５は、第１実施形態にかかるハンドル部１４と同様に、平行に延びる２本の腕部３４と、２本の腕部３４のそれぞれの端部を連結する握り部３６と、腕部３４の、握り部３６と逆側の端部に形成された取付基板３９とを備えて形成されている。
【００４７】
取付基板３９は、ほぼ円形で、取付基板３９それぞれの内側に、後述する連結機構４１の溝部４３が形成されている。溝部４３は、図７に示すように、屈曲した形状を有している。溝部４３は、図６に示すようにハンドル部１５を横に倒し、ハンドル部１５を第２位置に移動させたとき、鉛直になる第３溝部４３ａと、第３溝部４３ａに連続し、ハンドル部１５が第２位置にある状態で第３溝部４３ａから前方に屈曲した第４溝部４３ｂと、から形成されている。第４溝部４３ｂは、図５に示すようにハンドル部１５を縦にし、ハンドル部１５を第１位置に移動させると、鉛直方向に設定される。
【００４８】
又、第３溝部４３ａの一端は、取付基板３９の端縁を越えて開放されている。したがって、第３溝部４３ａは、その開放端から取付ピン４５が溝部４３内に挿通可能となっている。一方、第４溝部４３ｂは、取付基板３９の端縁を越えておらず、溝部４３内に挿通された取付ピン４５は、第４溝部４３ｂの終端部に保持される。
【００４９】
取付基板３９の左右の間隔幅は、左右双方の溝部４３が取付ピン４５に、確実に掛かり、容易に抜けることのない幅となっている。又、ハンドル部１５には、押さえ片６１が形成されている。押さえ片６１は、第１実施形態にかかる押さえ片６０と同様、ハンドル部１５を第１位置に設定すると、図５に示すように電池保持部１８の蓋体５２の前面に掛かるように形成されている。そして、ハンドル部１５を第２位置に設定すると、図６に示すように電池保持部１８の蓋体５２の前面から外れる位置に移動するように形成されている。プリンタ１０ｂのその他の構成は、その構成に対応するプリンタ１０の構成と同様に形成されている。
【００５０】
次に、プリンタ１０ｂの作用、効果について説明する。プリンタ１０ｂを使用するときは、ハンドル部１５を図６に示す第２位置に設定する。プリンタ１０ｂを作動させ、印刷を行う。あるいは、図７に示すように、プリンタ１０ｂを作動させているとき、ハンドル部１５を本体部１２から取り外してもよい。
【００５１】
プリンタ１０ｂを他の場所に移動させる場合、ハンドル部１５を第２位置から図５に示すように第１位置に回動させる。そして、握り部３６を持ってプリンタ１０を持ち上げる。すると、取付基板３９が上方に移動し、取付ピン４５が、第４溝部４３ｂの下端部に係合する。すると、ハンドル部１５は、図５に示すように取付ピン４５で保持され、プリンタ１０ｂを搬送しているときに溝部４３から抜けてしまうことはない。そして、押さえ片６１が蓋体５２の前面に位置しているので、蓋体５２が不用意に開いてしまうことを防止できる。
【００５２】
このようにプリンタ１０ｂによれば、ユーザは、蓋体５２が搬送中に不要に開かれることなく安全に搬送できる。又、ユーザは、ハンドル部１５を取り外した状態で印刷することができる。
【００５３】
尚、前記プリンタ１０ｂに更に、プリンタ１０ａにおいて用いられた補強部材６３を設けてもよい。すると、ハンドル部１５が第１位置にあるときの、押さえ片６１の保持力が補強され、蓋体５２の不用意な開放をより確実に防止できる。又、プリンタ１０ｂに補強部材６３を設けることにより、搬送時のハンドル部１５の本体部１２への取り付けを、より強く、確実にできる。
【００５４】
尚、各実施形態では、プリンタにおける電池パック４８を収納した電池保持部１８の蓋体５２について説明したが、これに限るものではない。例えば、機器は、プリンタでなくともよく、また、ＵＳＢの接続端子やＰＣとの接続口を備えた保持部分の蓋体に、押さえ片を設けてもよい。又、蓋体５２の形状や取り付け位置に応じて、押さえ片６０の形状やハンドル部１４への取り付け位置を容易に変更できる。
【００５５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
１０…プリンタ、１２…本体部、１４…ハンドル部、１６…カバー部、１８…電池保持部、１９…係合部材、２０…印刷部、３２…支持部、３４…腕部、３６…握り部、３８…取付基板、４０…連結機構、４２…溝部、４４…係合ピン、４６…右側壁、４８…電池パック、５０…開口部、５２…蓋体、５４…止め具、６０…押さえ片、６３…補強部材。
【図１】
2013184333.tif 000003
【図２】
2013184333.tif 000004
【図３】
2013184333.tif 000005
【図４】
2013184333.tif 000006
【図５】
2013184333.tif 000007
【図６】
2013184333.tif 000008
【図７】
2013184333.tif 000009